(57)【要約】      （修正有）【課題】密封した容器に入った液体を他の容器に供給するときに、自動で供給を停止することができる吸気器を提供すること。【解決手段】密封した一の容器に入った液体を他の容器に供給するときに使用する略円管形状の吸気器１０であって、他の容器の内部の空気を吸入する吸入部１１と、吸入した空気を一の容器の内部に流出する流出部１２とを備え、一の容器に入った液体を他の容器に供給するときに、該他の容器の内部に吸入部１１を挿入して、該吸入部１１から空気を吸入し、さらにその後に供給によって該他の容器の内部の液面が吸入部１１を塞ぐことで流出部１２からの空気の流出を停止する。【選択図】図１
0003210311.tif 000002
【実用新案登録請求の範囲】
【請求項１】
密封した一の容器に入った液体を他の容器に供給するときに使用する略円管形状の吸気器であって、
前記他の容器の内部の空気を吸入する吸入部と、
吸入した前記空気を前記一の容器の内部に流入する流入部と
を備え、
前記一の容器に入った前記液体を前記他の容器に供給するときに、該他の容器の内部に前記吸入部を挿入して、該吸入部から前記空気を吸入し、さらにその後に供給によって該他の容器の内部の液面が前記吸入部を塞ぐことで前記流入部からの前記空気の流入を停止する、
ことを特徴とする吸気器。
【請求項２】
請求項１に記載の吸気器を備えることを特徴とする携行缶。
【請求項３】
請求項１に記載の吸気器を備えることを特徴とするタンク。
【考案の詳細な説明】
【技術分野】
【０００１】
本考案は、密封した容器に入った液体を他の容器に供給するときに使用する略円管形状の吸気器に関する。また、本考案は、その吸気器を備える携行缶またはその吸気器を備えるタンクに関する。
【背景技術】
【０００２】
特許文献１には、温度上昇による該携行缶内部の蒸気圧力上昇により開栓時、気化ガスの噴出による引火に至る危険性を減少せしめ、安全性を高めるために、別途成型され、外気と通じる通気口を有する伸縮可能で携行缶内部の蒸気圧力を吸収することが可能なゴム製空気室を該携行缶内側上部に備えた金属製ガソリン携行缶に関する技術を開示している。
【先行技術文献】
【特許文献】
【０００３】
【特許文献１】特開２０１６−３０６５０号公報
【考案の概要】
【考案が解決しようとする課題】
【０００４】
しかしながら、特許文献１では、容器に入った液体を他の容器に供給するときに、自動で供給を停止することができる吸気器に関する技術の記載がない。
【０００５】
本考案は、密封した容器に入った液体を他の容器に供給するときに、自動で供給を停止することができる吸気器を提供することを目的とする。また、本考案は、その吸気器を備えることを特徴とする携行缶またはその吸気器を備えることを特徴とするタンクであってもよい。
【課題を解決するための手段】
【０００６】
上記課題を解決するために、本考案の一つの実施形態は、密封した一の容器に入った液体を他の容器に供給するときに使用する略円管形状の吸気器であって、前記他の容器の内部の空気を吸入する吸入部と、吸入した前記空気を前記一の容器の内部に流出する流出部とを備え、前記一の容器に入った前記液体を前記他の容器に供給するときに、該他の容器の内部に前記吸入部を挿入して、該吸入部から前記空気を吸入し、さらにその後に供給によって該他の容器の内部の液面が前記吸入部を塞ぐことで前記流出部からの前記空気の流出を停止する、ことを特徴とする吸気器を提供する。
【０００７】
本考案の他の実施形態は、上記の吸気器を備えることを特徴とする携行缶であってもよい。
【０００８】
本考案の他の実施形態は、上記の吸気器を備えることを特徴とするタンクであってもよい。
【考案の効果】
【０００９】
本考案に係る吸気器によれば、密封した一の容器（供給元）に入った液体を他の容器（供給先）に供給するときに、供給先の容器の内部の空気を吸入する吸入部と吸入した空気を供給元の容器の内部に流出する流出部とを用いて、密封した容器に入った液体を他の容器に供給するときに自動で供給を停止することができる。
【図面の簡単な説明】
【００１０】
【図１】本考案の実施形態に係る吸気器の一例を説明する概略外観図である。
【図２】本考案の実施形態に係る吸気器の使用例の一例を説明する説明図である。
【図３】本考案の実施形態に係る吸気器の吸入部の一例を説明する拡大図である。
【考案を実施するための形態】
【００１１】
実施形態に係る吸気器の例を用いて、本考案を説明する。本考案は、以後に説明する吸気器以外でも、密封した一の容器（供給元）に入った液体を他の容器（供給先）に供給するときに用いる補助器であれば、いずれのものにも用いることができる。なお、吸気器の素材、色は、特に限定されない。吸気器の色は、例えば使用者（消費者）の趣味趣向に合わせた柄のものであってもよい。また、液体は、油、水およびその他流動状の物体でもよい。
【００１２】
以後に、本考案を説明する。
【００１３】
図１乃至図３を用いて、本考案の実施形態に係る吸気器１００の構成を説明する。ここで、図１は、本考案の実施形態に係る吸気器１０の一例を説明する概略外観図である。図２（ａ）は、本考案の実施形態に係る吸気器１０を携行缶の外部に取り付けた使用例の一例を説明する説明図である。図２（ｂ）は、本考案の実施形態に係る吸気器１０を携行缶の内部に取り付けた使用例の一例を説明する説明図である。図３は、本考案の実施形態に係る吸気器１００の吸入部１１の一例を説明する拡大図である。
【００１４】
図１に示すように、本考案に係る吸気器１００は、密封した一の容器に入った液体を他の容器に供給するときに使用する略円管形状の道具である。本考案に係る吸気器１００は、他の容器（供給先）の内部の空気を吸入する吸入部１１と、吸入した空気を一の容器（供給元）の内部に流出する流出部１２とを備える。本考案に係る吸気器１００は、少なくとも空気を流通する略円管形状であればよい。
【００１５】
本考案は、図１に示す吸気器１００を備えることを特徴とする携行缶であってもよい。本考案は、図１に示す吸気器１００を備えることを特徴とするタンク（たとえばポリタンク）であってもよい。また、本考案に係る吸気器１００は、クイックチャージ（早期供給）に利用することができる。
【００１６】
図２（ａ）に、本考案の実施形態に係る吸気器１０を備える携行缶１００の外部に取り付けた使用例の一例を示す。また、図３に、本考案の実施形態に係る吸気器１００の吸入部１１の一例を説明する拡大図を示す。図２（ａ）および図３に示すように、本考案に係る吸気器１０は、本実施形態では、容器（携行缶１００）に入った液体を他の容器に供給するときに、他の容器の内部に吸気器１０の吸入部１１（図１）を挿入して、吸入部１１から空気を吸入し（図３のＭ０）、吸気器１０に吸入した空気を流通させて（図２（ａ）のＭａ１およびＭａ２）、容器（携行缶１００）の内部に流出部１２から流出する（図２（ａ）のＭａ３）。これにより、本考案に係る吸気器１０は、密封した容器（供給元）に入った液体を他の容器（供給先）に供給するときに、容器（供給元）の入口から空気を逆流させることなく、密封した容器（供給元）の内圧を大気圧になるように調整でき、スムーズに液体を容器（供給元）から流出させることができる。
【００１７】
また、本考案の実施形態に係る吸気器１０は、容器（携行缶１００）に入った液体を他の容器に供給するときに、他の容器の内部に吸気器１０の吸入部１１（図１）を挿入して、吸入部１１から空気を吸入し（図３のＭ０）、容器（携行缶１００）の内部に流出部１２から流出し（図２（ａ）のＭａ３）、さらにその後に供給によって他の容器の内部の液面が吸入部１１を塞ぐことで流出部１２からの空気の流出を停止する。これにより、本考案に係る吸気器１０は、密封した容器（供給元）に入った液体を他の容器（供給先）に供給するときに、他の容器（供給先）が充満したときに流出部１２からの空気の流出を停止し、密封した容器（供給元）の内圧を自動的に負圧になるように調整でき、自動的に供給を停止することができる。
【００１８】
図２（ｂ）に、本考案の実施形態に係る吸気器１０を備える携行缶１００の内部に取り付けた使用例の一例を示す。図２（ｂ）に示すように、本考案に係る吸気器１０は、外部に取り付けた使用例（図２（ａ））と同様に、密封した容器（供給元）に入った液体を他の容器（供給先）に供給するときに、容器の入口から空気を逆流させることなく、密封した容器（供給元）の内圧を大気圧になるように調整でき（図２（ｂ）のＭｂ１、Ｍｂ２およびＭｂ３）、スムーズに液体を流出させることができる。また、図２（ｂ）に示すように、本考案に係る吸気器１０は、外部に取り付けた使用例（図２（ａ））と同様に、密封した容器（供給元）に入った液体を他の容器（供給先）に供給するときに、他の容器（供給先）が充満したときに流出部１２からの空気の流出を停止し、密封した容器（供給元）の内圧を自動的に負圧になるように調整でき、自動的に供給を停止することができる。
【００１９】
本考案に係る吸気器によれば、密封した一の容器（供給元）に入った液体を他の容器（供給先）に供給するときに、供給先の容器の内部の空気を吸入する吸入部と吸入した空気を供給元の容器の内部に流出する流出部とを用いて、密封した容器に入った液体を他の容器に供給するときに自動で供給を停止することができる。また、本考案に係る吸気器によれば、構造がシンプルで低価格で提供できる。また、本考案に係る吸気器によれば、既存の密封容器（ポリタンクなど）に容易に取り付けることができる。
【００２０】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００２１】
１０  ：  吸気器
１１  ：  吸入部
１２  ：  流出部
１００  ：  携行缶（タンク、ポリタンクなど）
【図１】
0003210311.tif 000003
【図２】
0003210311.tif 000004
【図３】
0003210311.tif 000005